(57)【特許請求の範囲】
【請求項１】
流体圧機器のボディの外面に形成されたスイッチ取付溝と、該スイッチ取付溝内に取付けられ、流体圧機器の内部を移動する部材に設けた磁石の近接を検出する断面形状が一定の棒状をなす検出スイッチと、該検出スイッチをスイッチ取付溝内の所定の位置に固定するための固定手段とを含み、上記スイッチ取付溝に上記断面形状を異にする複数の検出スイッチのそれぞれを装着可能にしたスイッチ取付機構であって、
上記断面形状を異にする複数の検出スイッチは、その断面形状が最大の大検出スイッチと、該大検出スイッチの断面形状よりも相対的に小さく形成されて、該大検出スイッチの断面形状に内包される断面形状を有する１ないし複数の断面形状を異にする小検出スイッチからなり、
上記スイッチ取付溝は、上記大検出スイッチが嵌入する断面形状を有し、
上記小検出スイッチをスイッチ取付溝に固定するための、外形が該スイッチ取付溝に嵌合する形状に形成された、小検出スイッチの数に応じたアダプタ部材を備え、各小検出スイッチに対応するアダプタ部材が、その小検出スイッチの嵌入に適合した断面形状の収容溝を備え、
小検出スイッチの固定手段が、上記小検出スイッチをアダプタ部材と共にスイッチ取付溝内に固定する手段である、
ことを特徴とする流体圧機器におけるスイッチ取付機構。
【請求項２】
請求項１に記載のスイッチ取付機構において、大検出スイッチ及びアダプタ部材に、スイッチ取付溝の口縁内側に係止する肩部を設け、大小検出スイッチの固定手段を、それらのスイッチに螺挿したうえでスイッチ取付溝の溝底を押圧することにより大検出スイッチまたはアダプタ部材の上記肩部をスイッチ取付溝の口縁内側に圧接させるねじにより構成したもの。
【発明の詳細な説明】
【０００１】
【発明の属する技術分野】
本発明は、流体圧シリンダやバルブ等の流体圧機器に、ピストンや弁部材等の動作位置を検出する検出スイッチを取付けるためのスイッチ取付機構に関するものである。
【０００２】
【従来の技術】
流体圧シリンダや流体圧機器においては、ピストンや弁部材等の摺動部材の動作位置を検出するために、これらの機器におけるボディの外面にスイッチ取付溝を設けて、このスイッチ取付溝にピストン等に取付けた磁石の近接を検出する検出スイッチを取付ける場合が多い。
このような検出スイッチは、使用目的や検出方法の違い、あるいは技術の進歩による検出性能の向上等に伴って、その外形、特に断面形状が異なるものが供給され、また、検出スイッチ全体としても、その大きさが小形化される傾向にある。
しかしながら、通常、流体圧機器のスイッチ取付溝は、溝内に検出スイッチを安定的に収容するため、その検出スイッチの断面形状に適合した断面形状を有していて、既存の流体圧機器に、断面形状や大きさの異なる別の検出スイッチを取付ける場合には、既設のスイッチ取付溝は使用することができない。
従って、新たな検出スイッチを製造販売する場合には、ボディ等に既存の検出スイッチと新たな検出スイッチの断面形状及び大きさに適合する２種類のスイッチ取付溝を形成した流体圧機器も同時に製造販売し、両スイッチを使用可能にする必要があるが、それらのスイッチ取付溝を形成するためのスペースを流体圧機器のボディ等に確保することは機器の小形化を図るうえで障害になる。
しかも、上述のように２種類のスイッチ取付溝を設けた流体圧機器を製造販売する場合には、従来のスイッチ取付溝をもつ流体圧機器を使用しているユーザーは、新しい検出スイッチを利用することができないという問題がある。
【０００３】
【発明が解決しようとする課題】
本発明の技術的課題は、種々の断面形状を持つ、従来より一層小形化された検出スイッチを、既存のスイッチ取付溝を利用して流体圧機器に簡単且つ安定的に取付けることができるスイッチ取付機構を提供することにある。
【０００４】
【課題を解決するための手段】
上記課題を解決するため、本発明のスイッチ取付機構は、流体圧機器のボディの外面に形成されたスイッチ取付溝と、該スイッチ取付溝内に取付けられ、流体圧機器の内部を移動する部材に設けた磁石の近接を検出する断面形状が一定の棒状をなす検出スイッチと、該検出スイッチをスイッチ取付溝内の所定の位置に固定するための固定手段とを含み、上記スイッチ取付溝に上記断面形状を異にする複数の検出スイッチのそれぞれを装着可能にしたスイッチ取付機構であって、上記断面形状を異にする複数の検出スイッチは、その断面形状が最大の大検出スイッチと、該大検出スイッチの断面形状よりも相対的に小さく形成されて、該大検出スイッチの断面形状に内包される断面形状を有する１ないし複数の断面形状を異にする小検出スイッチからなり、上記スイッチ取付溝は、上記大検出スイッチが嵌入する断面形状を有し、上記小検出スイッチをスイッチ取付溝に固定するための、外形が該スイッチ取付溝に嵌合する形状に形成された、小検出スイッチの数に応じたアダプタ部材を備え、各小検出スイッチに対応するアダプタ部材が、その小検出スイッチの嵌入に適合した断面形状の収容溝を備え、小検出スイッチの固定手段が、上記小検出スイッチをアダプタ部材と共にスイッチ取付溝内に固定する手段であることを特徴とするものである。
【０００５】
上記構成を有する流体圧機器におけるスイッチ取付機構は、スイッチ取付溝を、複数の検出スイッチのうちで断面積が最大の既存の検出スイッチの形状に対応させて、外形がスイッチ取付溝に嵌入する断面形状を有し、収容溝に他の小検出スイッチを嵌入したアダプタ部材によって、それらの小検出スイッチを上記スイッチ取付溝内に取付け、固定手段によって該取付溝内の所定位置に固定するようにしたため、大検出スイッチと他の小検出スイッチとの間に断面形状や大きさの違いがあっても、それらを簡単且つ安定的にスイッチ取付溝内に取付けることができる。しかも、検出スイッチの断面形状の変化や一層の小形化が進んでも、アダプタ部材の形状や収容溝の大きさを変えることにより容易にそれに対応することができる。また、各検出スイッチに適合したスイッチ取付溝を新たに設けた流体圧機器を製造する必要がなく、従来のスイッチ取付溝の流体圧機器を使用しているユーザーも新しい検出スイッチを利用可能になる。
【０００６】
本発明においては、大検出スイッチ及びアダプタ部材に、スイッチ取付溝の口縁内側に係止する肩部を設け、大小検出スイッチの固定手段を、それらのスイッチに螺挿したうえでスイッチ取付溝の溝底を押圧することにより大検出スイッチまたはアダプタ部材の上記肩部をスイッチ取付溝の口縁内側に圧接させるねじにより構成したものとすることができる。
【０００７】
【発明の実施の形態】
図１は、本発明の流体圧機器におけるスイッチ取付機構の一実施例を示すもので、この実施例のスイッチ取付機構は、流体圧機器一例である流体圧シリンダのボディ１の外面に形成された一対のスイッチ取付溝２，２と、それらのスイッチ取付溝２，２内にそれぞれ装着される２個の検出スイッチ４，５と、それらの検出スイッチを各スイッチ取付溝２，２内の所定の位置にそれぞれ固定するための固定手段とを備えている。
【０００８】
上記２個の検出スイッチ４，５は、いずれも流体圧機器の内部を移動する部材、この場合、ピストン８に設けた磁石の近接を検出する位置検出スイッチで、断面形状が相違するものである。
この実施例の場合、一方の大検出スイッチ４は、従来から市場に供給されているもので、断面略矩形状の棒状に形成され、位置検出のための部品が内部に収容されたスイッチ本体部４ａと、該スイッチ本体部４ａの外側面上に設けられた突稜部４ｂとを備えたものである。また、複数（２個）の検出スイッチのうちで断面積が最大のものでない他方の小検出スイッチ５は、断面略円形状の棒状に形成されたスイッチ本体部５ａと、該スイッチ本体部５ａの外側面に軸方向に形成された突稜部５ｂとを備え、全体として上記大検出スイッチ４よりも小形のものである。図１では、一方のスイッチ取付溝２に大検出スイッチ４が、他方に小検出スイッチ５がそれぞれ嵌入された状態を示している。
なお、大小検出スイッチ４，５の断面形状は、この実施例のものに限らず、各種形状のものを用いることができるのはもちろんである。
【０００９】
図３に示す上記小検出スイッチ５は、その軸方向長さは大検出スイッチ４とほぼ同じであるが、スイッチ本体部５ａの断面形状が、大検出スイッチ４のスイッチ本体部５ａの断面形状よりも相対的に小さく形成され、突稜部５ｂは、大検出スイッチ４のものに比べて幅狭に形成され、その全体の断面形状は、大検出スイッチ４の断面形状に内包される程度に小さいものとなっている。
【００１０】
図示のシリンダは、上記スイッチ取付溝２，２を、ボディ１の外面における相対する２面の軸方向にそれぞれ設けたもので、それらの断面形状は、いずれも上記大検出スイッチ４の全体の断面形状と略同形で、該大検出スイッチ４の嵌入に適合した形状に形成されている。
各スイッチ取付溝２は、その口縁２ａ，２ａ間の幅が大検出スイッチ４の突稜部４ｂの幅とほぼ同じに形成されていて、これらの口縁２ａ，２ａの内側に、該大検出スイッチ４における突稜部４ｂの両側に形成された肩部４ｃ，４ｃを係止することにより、大検出スイッチ４を安定的に収容できるようになっている。
【００１１】
一方、上記小検出スイッチ５には、該小検出スイッチ５をスイッチ取付溝２内に安定的に取付けるためのアダプタ部材６を装着し、小検出スイッチ５はこのアダプタ部材６と共にスイッチ取付溝２内に収容するようにしている。
このアダプタ部材６は、弾性を有した合成樹脂等の素材により、図２に示すように、その全体的な外形が上記スイッチ取付溝２に嵌合する形状、即ち、大検出スイッチ５と同様の外形状に形成され、且つ、上記小検出スイッチ５全体を嵌入可能な断面形状を有する収容溝７が、アダプタ部材６の軸方向に貫通するように形成されたものであり、該収容溝７内に小検出スイッチ５を収容した状態でスイッチ取付溝２内に嵌入可能としたものである。
【００１２】
上記収容溝７は、アダプタ部材６の上面側に開口する溝縁７ａ，７ａを形成する一対の立壁６ｂ，６ｂの対向する壁面の間に、小検出スイッチ５の突稜部５ｂを位置させると共に、奥底部７ｂにスイッチ本体部５ａを収容させるもので、上記溝縁７ａ，７ａ間の幅は、小検出スイッチ５の突稜部５ｂの幅とほぼ同じに形成され、これらの溝縁７ａ，７ａの内側に、小検出スイッチ５における突稜部５ｂの両側に形成された肩部５ｃ，５ｃを係止することにより、小検出スイッチ５を収容溝７内に安定的に収容することができるようになっている。
なお、上記一対の立壁６ｂ，６ｂの外側の壁面同士がなす幅は、上記スイッチ取付溝２の口縁２ａ，２ａ間の幅とほぼ同じに形成されている。
【００１３】
また、上記アダプタ部材６は、一対の立壁６ｂ，６ｂの両側に肩部６ａ，６ａが形成されていて、大検出スイッチ４と同様、スイッチ取付溝２の口縁２ａ，２ａ内側に係止できるようになっている。
【００１４】
上記大検出スイッチ４と小検出スイッチ５とには、それぞれねじ孔４ｄ，５ｄが設けられていて、スイッチ取付溝２内への固定手段としてのねじ３，３が螺挿される。
また、上記アダプタ部材６には、小検出スイッチ５のねじ孔５ｄに対応する位置に、ねじ３が貫通する小孔６ｃを設けている。
上記ねじ３は、大検出スイッチ４のねじ孔４ｄと、小検出スイッチ５のねじ孔５ｄ，６ｃに螺挿し、先端でスイッチ取付溝２の溝底を押圧することにより、大検出スイッチ４の肩部４ｃ，４ｃやアダプタ部材６の肩部６ａ，６ａをスイッチ取付溝２の口縁２ａ，２ａの内側に圧接させるもので、これにより、大検出スイッチ４及び小検出スイッチ５を保持したアダプタ部材６をスイッチ取付溝２内にそれぞれ安定的に固定することができる。
【００１５】
上記構成を有するスイッチ取付機構は、スイッチ取付溝２，２を、大検出スイッチ４の形状に対応させて、大検出スイッチ４の取付を可能にしたのはもちろんであるが、外形がスイッチ取付溝２に嵌入する断面形状を有し、収容溝７に小検出スイッチ５を嵌入したアダプタ部材６によって、小検出スイッチ５を上記スイッチ取付溝２内に取付け、固定手段であるねじ３によって該取付溝２内の所定位置に固定するようにしたため、断面形状や大きさの違いがある大検出スイッチ４と小検出スイッチ５を簡単且つ安定的にスイッチ取付溝２内に取付けることができる。
【００１６】
また、上記実施例では、大小検出スイッチ４，５の一例として、各スイッチ本体部４ａ，５ａの断面形状が矩形状と円形状のものを使用しているが、これらのうちの小検出スイッチ５の断面形状が変化したり、一層の小形化が進んだ場合であっても、アダプタ部材６の収容溝７の断面形状等を変えることにより容易にそれに対応することができる。
また、複数の外形状を異にする検出スイッチがあっても、それらに適合したスイッチ取付溝を設けた流体圧機器を製造する必要がなく、既存のスイッチ取付溝２の流体圧機器を使用しているユーザーも新しい検出スイッチを利用可能になる。しかも、新たなスイッチ取付溝を設ける場合に比して、その設置スペース分だけ、流体圧機器におけるボディ１のスペースを小さくできるため、流体圧機器全体の小形化を図ることが可能である。
【００１７】
上記実施例においては、スイッチ取付溝２の数の関係から、大小検出スイッチ４，５の２個のみを使用しているが、スイッチ取付溝の数や検出位置の数等に応じて、大検出スイッチ４の断面に内包される同形または異形の各種の断面形状を有する複数個の小検出スイッチを使用することができる。この場合、アダプタ部材６は、それらの小検出スイッチ毎に、それらの断面形状に適合した収容溝７を有したものを使用する必要がある。
さらに、既存の大検出スイッチ４を使用しない場合であっても、その大検出スイッチ４の断面形状に内包される断面形状を有する他の小検出スイッチを使用するのであれば、アダプタ部材６の外形をスイッチ取付溝２の断面形状に保ち、収容溝７の形状さえ変更すれば使用することができる。
【００１８】
また、この実施例では、大小検出スイッチ４，５及びアダプタ部材６のスイッチ取付溝２内への固定手段としてねじ３を使用しているが、これに限らず、任意の固定手段によって固定することができるのはもちろんである。
【００１９】
【発明の効果】
以上に詳述したように、本発明のスイッチ取付機構によれば、スイッチ取付溝を、複数の検出スイッチのうちで断面形状が最大の大検出スイッチの形状に対応させて、外形がスイッチ取付溝に嵌入する断面形状を有し、収容溝に他の小検出スイッチを嵌入したアダプタ部材によって、それらの小検出スイッチを上記スイッチ取付溝内に取付け、固定手段によって該取付溝内の所定位置に固定するようにしたため、大検出スイッチと他の小検出スイッチとの間に断面形状や大きさの違いがあっても、それらを簡単且つ安定的にスイッチ取付溝内に取付けることができる。
しかも、検出スイッチの断面形状の変化や一層の小形化が進んでも、アダプタ部材の形状や収容溝の大きさを変えることにより容易にそれに対応することができ、また、各検出スイッチに適合したスイッチ取付溝を新たに設けた流体圧機器を製造する必要がなく、従来のスイッチ取付溝の流体圧機器を使用しているユーザーも新しい検出スイッチが利用可能になる。
【図面の簡単な説明】
【図１】本発明に係るスイッチ取付機構の一実施例を示す断面図である。
【図２】図１の実施例におけるアダプタ部材を示す斜視図である。
【図３】図１の実施例における小検出スイッチを示す斜視図である。
【符号の説明】
１    ボディ
２    スイッチ取付溝
２ａ  口縁
３    ねじ
４    大検出スイッチ
４ａ  大検出スイッチの肩部
５    小検出スイッチ
５ａ  小検出スイッチの肩部
６    アダプタ部材
６ａ  アダプタ部材の肩部
７    収容溝
【図１】
0004074974.tif 000002
【図２】
0004074974.tif 000003
【図３】
0004074974.tif 000004